(57)【要約】【課題】天板の組付けを主とするキュービクルの組立作業が容易で、かつ、天板部分から当該キュービクルの内部への雨水等の浸入を完全に防止することを可能にする配電盤装置を提供する。【解決手段】配電盤装置１は、配電設備を収納するキュービクル２を備えている。キュービクル２は、正面板２ａと、背面板２ｂと、左右の側面板２ｃ，２ｄと、天板２ｅと、底面板２ｆと、を有している。天板２ｅは、左右一対の矩形状の天板構成部材６，７からなっている。天板構成部材６，７は、継ぎ目をそれぞれ断面略逆さＬ字状に折り曲げた状態で連結されており、かつ、その連結部分には、正面側から背面側に延びる断面略コの字状の蓋材９が覆設固定されている。【選択図】図４
0003233881.tif 000002
【実用新案登録請求の範囲】
【請求項１】
正面板と、背面板と、左右の側面板と、天板と、を少なくとも有し、配電設備を収納する、キュービクルを備えた配電盤装置であって、
前記天板は、左右一対の天板構成部材からなり、
前記左右一対の天板構成部材は、継ぎ目をそれぞれ断面略逆さＬ字状に折り曲げた状態で連結されており、かつ、その連結部分には、正面側から背面側に延びる断面略コの字状の蓋材が覆設固定されていることを特徴とする配電盤装置。
【請求項２】
前記左右一対の天板構成部材には、それぞれ、その周縁に沿って水止め部が設けられていると共に、正面側と背面側に水抜き孔が穿設されており、かつ、
前記水抜き孔の直下に位置して少なくとも左右に延びる樋部材が配設されている、請求項１に記載の配電盤装置。
【請求項３】
少なくとも前記正面板の吸気口には、異物の侵入を防ぐための通気ギャラリが取り付けられており、かつ、
前記通気ギャラリの内側には、当該通気ギャラリと向かい合うようにして、上端が開口した吹込み防止カバーが設置され、当該吹込み防止カバーの内部の下端面は、背面側から正面側に向かって下傾した状態となっている、請求項１又は２に記載の配電盤装置。
【考案の詳細な説明】
【技術分野】
【０００１】
本考案は、大容量の電力を使用する工場やビルディングなどの建築物において、電力及び信号幹線から各フロアの分岐回路に電力及び各種信号を供給する配電盤装置に関し、特に、配電設備を収納するキュービクル（筐体）の構造に関する。
【背景技術】
【０００２】
この種の配電盤装置としては、屋外用と屋内用とがある。そして、屋外用配電盤装置にあっては、キュービクル内部に雨水が侵入するなどした場合に、配線間がショートするなどして故障を引き起こす可能性があり、動作信頼性を失う虞がある。また、屋内用配電盤装置にあっても、キュービクルに意図せぬ放水や排水（以下、これらを含めて「雨水等」という）がかかるなどした場合に、同様のことが起こり得る。
そこで、従来、キュービクル内部への雨水等の侵入を防止するようにした配電盤装置が種々提案されている（例えば、特許文献１，２等を参照）。
【０００３】
特許文献１に開示された配電盤装置（屋外用受配電盤）は、配電盤装置（受配電盤）の組立枠体を形成するフレームと、前記フレームの上部に取り付けられ、換気口が形成されている天井板と、前記天井板との間に空間を形成して配置され、換気口が形成されている屋根板と、前記屋根板換気口の上側に配置された雨水受樋と、前記屋根板換気口を覆うように配置され、上面に複数の換気孔が穿設されている下面開放のカバーと、前記屋根板換気口の周囲を囲うように形成され、上方に突出している凸溝とを具備することを特徴としている。
かかる構成によれば、屋根板換気口の周囲を、上方に突出している凸溝で囲うように形成して、雨水受樋からの跳ね返り雨水等の盤内（キュービクル内部）への浸入を防止することができる。
【０００４】
特許文献２に開示された配電盤装置（屋外型配電盤）は、屋外で用いられる配電盤装置（屋外型配電盤）において、電気機器を収納する箱状の筐体（キュービクル）の側面に設けた開閉扉の上方に、水の浸入を防止するための防水板を前記筐体（キュービクル）の側面と前記開閉扉の上端面とに跨って配置したことを特徴としている。
かかる構成によれば、筐体（キュービクル）の外被部分で雨水等の浸入を防止することができ、開閉扉の内側のパッキンの貼り付け状態や、筐体（キュービクル）の内部の水切りフレームの面（板金）精度に依存しない形で、筐体（キュービクル）の内部への雨水等の浸入を防止することが可能となる。
【先行技術文献】
【特許文献】
【０００５】
【特許文献１】特開２００６−０７４９５６号公報
【特許文献２】特開２０１６−０３２３６２号公報
【考案の概要】
【考案が解決しようとする課題】
【０００６】
ところで、キュービクルを構成する天板（屋根板）等の部材は、かなりの重量を有しており、特に、天板（屋根板）の組付けは容易ではなく、天板（屋根板）等の部材の改善が望まれていた。
しかし、特許文献１，２に開示された配電盤装置は、上記のように、キュービクル内部への雨水等の浸入を防止することを可能とするものではあるが、キュービクルを構成する天板（屋根板）等の部材を改善することについては何ら開示されていない。
そこで、本発明者は、鋭意研究を重ね、天板の構造を工夫することにより、当該天板の組付けを容易にしつつ、キュービクル内部への雨水等の浸入を防止できることを見出し、本発明をするに至った。
【０００７】
本考案は、従来技術における前記課題を解決するためになされたものであり、天板の組付けを主とするキュービクルの組立作業が容易で、かつ、天板部分から当該キュービクルの内部への雨水等の浸入を完全に防止することを可能にする配電盤装置を提供することを目的とする。
【課題を解決するための手段】
【０００８】
前記目的を達成するため、本考案に係る配電盤装置の構成は、
（１）正面板と、背面板と、左右の側面板と、天板と、を少なくとも有し、配電設備を収納する、キュービクルを備えた配電盤装置であって、
前記天板は、左右一対の天板構成部材からなり、
前記左右一対の天板構成部材は、継ぎ目をそれぞれ断面略逆さＬ字状に折り曲げた状態で連結されており、かつ、その連結部分には、正面側から背面側に延びる断面略コの字状の蓋材が覆設固定されていることを特徴とする。
【０００９】
本考案の配電盤装置の上記（１）の構成は、以下のような作用効果を奏する。
すなわち、上記（１）の構成によれば、キュービクルの天板が左右一対の天板構成部材からなっており、各天板構成部材の重量が軽くなるため、天板の組付けを主とするキュービクルの組立作業が容易となる。また、左右一対の天板構成部材が、継ぎ目をそれぞれ断面略逆さＬ字状に折り曲げた状態で連結されており、かつ、その連結部分に、正面側から背面側に延びる断面略コの字状の蓋材が覆設固定されているため、左右一対の天板構成部材の継ぎ目（天板部分）からキュービクルの内部に雨水等が侵入することを完全に防止することができる。
したがって、上記（１）の構成によれば、天板の組付けを主とするキュービクルの組立作業が容易で、かつ、天板部分から当該キュービクルの内部への雨水等の浸入を完全に防止することを可能にする配電盤装置を提供することができる。
【００１０】
本考案の配電盤装置の上記（１）の構成においては、以下の（２），（３）のような構成にすることが好ましい。
【００１１】
（２）上記（１）の構成において、前記左右一対の天板構成部材には、それぞれ、その周縁に沿って水止め部が設けられていると共に、正面側と背面側に水抜き孔が穿設されており、かつ、
前記水抜き孔の直下に位置して少なくとも左右に延びる樋部材が配設されている。
【００１２】
上記（２）の好ましい構成によれば、天板構成部材の上面に溜まった雨水等を、水抜き孔を通して下方向に案内し、樋部材を伝ってキュービクルの左側面板側又は右側面板側から落下させて、キュービクルの外部に排出することができる。
【００１３】
（３）上記（１）又は（２）の構成において、少なくとも前記正面板の吸気口には、異物の侵入を防ぐための通気ギャラリが取り付けられており、かつ、
前記通気ギャラリの内側には、当該通気ギャラリと向かい合うようにして、上端が開口した吹込み防止カバーが設置され、当該吹込み防止カバーの内部の下端面は、背面側から正面側に向かって下傾した状態となっている。
【００１４】
上記（３）の好ましい構成によれば、正面板の吸気口から侵入した雨水等を、吹込み防止カバーによって下方向に案内し、当該吹込み防止カバーの内部の、背面側から正面側に向かって下傾している下端面の作用によって同じ吸気口からキュービクルの外部に排出することができる。
【考案の効果】
【００１５】
本考案によれば、天板の組付けを主とするキュービクルの組立作業が容易で、かつ、天板部分から当該キュービクルの内部への雨水等の浸入を完全に防止することを可能にする配電盤装置を提供することができる。
【図面の簡単な説明】
【００１６】
【図１】本考案の一実施形態における配電盤装置の外観構成を示す斜視図
【図２】本考案の一実施形態における配電盤装置の外観を斜め上方から見た、下部を省略した斜視図
【図３】本考案の一実施形態における配電盤装置の、蓋材周りの構成を示す斜視図（蓋材を取り付けた状態）
【図４】本考案の一実施形態における配電盤装置の、蓋材周りの構成を示す斜視図（蓋材を取り外した状態）
【図５】本考案の一実施形態における配電盤装置の、左右一対の天板構成部材の連結状態を示す正面図
【図６】本考案の一実施形態における配電盤装置の、右側の正面扉を開いた状態を示す、左部及び下部を省略した斜視図
【図７】本考案の一実施形態における配電盤装置の、正面扉周りの構成を示す、下部を省略した斜視図
【図８】本考案の一実施形態における配電盤装置の、正面扉の内側の構成を示す斜視図
【図９】本考案の一実施形態における配電盤装置の、正面扉の内側の構成を斜め上方から見た斜視図
【図１０】本考案の一実施形態における配電盤装置の、排水の様子を示す作用説明図（（ａ）は図２のＡ−Ａ線矢視断面図、（ｂ）は図２のＢ−Ｂ線矢視断面図）
【考案を実施するための形態】
【００１７】
以下、好適な実施形態を用いて本考案をさらに具体的に説明する。但し、下記の実施形態は本考案を具現化した例に過ぎず、本考案はこれに限定されるものではない。
【００１８】
［配電盤装置の構成］
まず、本考案の一実施形態における配電盤装置の構成について、図１〜図９を参照しながら説明する。
【００１９】
図１は本考案の一実施形態における配電盤装置の外観構成を示す斜視図、図２は当該配電盤装置の外観を斜め上方から見た、下部を省略した斜視図、図３は当該配電盤装置の、蓋材周りの構成を示す斜視図（蓋材を取り付けた状態）、図４は当該配電盤装置の、蓋材周りの構成を示す斜視図（蓋材を取り外した状態）、図５は当該配電盤装置の、左右一対の天板構成部材の連結状態を示す正面図、図６は当該配電盤装置の、右側の正面扉を開いた状態を示す、左部及び下部を省略した斜視図、図７は当該配電盤装置の、正面扉周りの構成を示す、下部を省略した斜視図、図８は当該配電盤装置の、正面扉の内側の構成を示す斜視図、図９は当該配電盤装置の、正面扉の内側の構成を斜め上方から見た斜視図である。
【００２０】
図１，図２に示すように、本実施形態の配電盤装置１は、配電設備（図示せず）を収納するキュービクル（筐体）２を備えている。キュービクル２は、正面板２ａと、背面板２ｂと、左右の側面板２ｃ，２ｄと、天板２ｅと、底面板２ｆと、を有している。
ここで、正面板２ａは、左右両方向の観音開きに開閉する左右の正面扉３，４からなっており、これら左右の正面扉３，４は、それぞれ、レバー３ａ，４ａを揺動操作することによって開閉できるようにされている。また、背面板２ｂも、左右両方向の観音開きに開閉する左右の背面扉（図示せず）からなっており、これら左右の背面扉も、それぞれ、レバー（図示せず）を揺動操作することによって開閉できるようにされている。
なお、図１，図２中、参照符号５は、ダイヤル温度計検視窓を示している。
【００２１】
図２〜図４に示すように、天板２ｅは、左右一対の矩形状の天板構成部材６，７からなっており、当該天板構成部材６，７には、それぞれ、その周縁に沿って水止め部８が設けられている。水止め部８は、断面略逆さＬ字状に折り曲げて形成されている。
そして、左右一対の天板構成部材６，７は、継ぎ目をそれぞれ断面略逆さＬ字状に折り曲げた状態で連結されており、かつ、その連結部分には、正面側から背面側に延びる断面略コの字状の蓋材９が覆設固定されている。
より具体的には、図５に示すように、天板構成部材６，７の連結部分（断面略逆さＬ字状部分）には、それぞれ、正面側と背面側の下面に断面略逆さＬ字状の補強材１０が固着されている。そして、天板構成部材６，７の連結部分（断面略逆さＬ字状部分）に蓋材９が覆設された後、当該蓋材９が補強材１０にボルト１１によって締結固定されている。
なお、蓋材９の正面側と背面側の左右両側面には、天板構成部材６，７の正面側と背面側の水止め部８を入れ込むための矩形状の切欠き９ａが形成されており、これにより、天板構成部材６，７をしっかりと連結できるようにされている。
また、蓋材９の正面側と背面側の端面９ｂは、側面よりも多少下方に延びており、これにより、天板構成部材６，７の継ぎ目を隠して、当該継ぎ目から雨水等が侵入しないようにされている。
【００２２】
本実施形態の配電盤装置１のかかる構成は、以下のような作用効果を奏する。
すなわち、かかる構成によれば、キュービクル２の天板２ｅが左右一対の天板構成部材６，７からなっており、各天板構成部材６，７の重量が軽くなるため、天板２ｅの組付けを主とするキュービクル２の組立作業が容易となる。また、左右一対の天板構成部材６，７が、継ぎ目をそれぞれ断面略逆さＬ字状に折り曲げた状態で連結されており、かつ、その連結部分に、正面側から背面側に延びる断面略コの字状の蓋材９が覆設固定されているため、左右一対の天板構成部材６，７の継ぎ目（天板２ｅ部分）からキュービクル２の内部に雨水等が侵入することを完全に防止することができる。
したがって、かかる構成によれば、天板２ｅの組付けを主とするキュービクル２の組立作業が容易で、かつ、天板２ｅ部分から当該キュービクル２の内部への雨水等の浸入を完全に防止することを可能にする配電盤装置１を提供することができる。
【００２３】
上記したように、左右一対の天板構成部材６，７には、それぞれ、その周縁に沿って水止め部８が設けられている（図２〜図４を参照）。
また、図2〜図４，図６，図７に示すように、左右一対の天板構成部材６，７には、それぞれ、正面側と背面側に水抜き孔（左右に細長い水抜き用スリット）１２が所定間隔で複数穿設されている。これにより、天板構成部材６，７の上面に溜まった雨水等を、当該水抜き孔１２を通して下方向に案内できるようにされている（図１０の矢印イを参照）。
さらに、図６，図７に示すように、キュービクル２の内部には、水抜き孔１２の直下に位置して左右に延びる樋部材１３が配設されている。ここで、樋部材１３は、左側端部が閉塞され、右側端部が開放されている。これにより、水抜き孔１２を通して下方向に案内された雨水等を、樋部材１３を伝ってキュービクル２の右側面板２ｄ側から落下させ（図１０の矢印ロ，ハを参照）、キュービクル２の外部に排出できるようにされている。
【００２４】
すなわち、本実施形態のかかる構成によれば、天板構成部材６，７の上面に溜まった雨水等を、水抜き孔１２を通して下方向に案内し、樋部材１３を伝ってキュービクル２の右側面板２ｄ側から落下させて、キュービクル２の外部に排出することができる。
【００２５】
なお、樋部材１３は、断面略角Ｊ字状に形成され、背面側の上端部が天板構成部材６，７の下面に固着されている（図１０を参照）。
図６，図７に示すように、左右の正面扉３，４を閉めたとき、樋部材１３の正面側部分が正面扉３，４の内側面内に入り込むようにされている（図１０（ａ）を参照）。また、左右の正面扉３，４を閉めた状態において、当該正面扉３，４の上端面３ｂ，４ｂ（“３ｂ”については図示せず）は、正面側から背面側に向かって下傾した状態となる（図１０（ａ）を参照）。
かかる構成によれば、樋部材１３からの跳ね返り雨水等を、正面扉３，４の、正面側から背面側に向かって下傾している上端面３ｂ，４ｂの作用によって樋部材１３に再度流し込むことができる。
【００２６】
図１〜図４，図６〜図９に示すように、正面板２ａ（左右の正面扉３，４）の吸気口１４には、ごみなどの異物の侵入を防ぐための通気ギャラリ１５が取り付けられている。通気ギャラリ１５は、水平方向に延びる複数の平行な開口部（図示せず）と、各開口部を覆う断面略円弧状のカバー部１５ａと、を有しており、開口部と重なる吸気口１４には、下方から空気が流れ込むようになっている。
通気ギャラリ１５の内側には、当該通気ギャラリ１５と向かい合うようにして、上端が開口した吹込み防止カバー１６が設置されている。吹込み防止カバー１６の内部の下端面は、背面側から正面側に向かって下傾した状態となっている（図８を参照）。
【００２７】
本実施形態のかかる構成によれば、正面板２ａ（左右の正面扉３，４）の吸気口１４（開口部）から侵入した雨水等を、吹込み防止カバー１６によって下方向に案内し、当該吹込み防止カバー１６の内部の、背面側から正面側に向かって下傾している下端面の作用によって同じ吸気口１４（開口部）からキュービクル２の外部に排出することができる。
【００２８】
以上の通気ギャラリ、吹込み防止カバー等の構成は、背面板２ｂ（左右の背面扉）にも採用されている。但し、この場合、吹込み防止カバーの内部の下端面は、正面側から背面側に向かって下傾した状態となっている。
【００２９】
［配電盤装置の防水及び排水動作］
次に、本考案の一実施形態における配電盤装置の防水及び排水動作について、図１０をも参照しながら説明する。
【００３０】
図１０は本考案の一実施形態における配電盤装置の、排水の様子を示す作用説明図（（ａ）は図２のＡ−Ａ線矢視断面図、（ｂ）は図２のＢ−Ｂ線矢視断面図）である。
【００３１】
図１〜図４，図６〜図９に示すように、正面板２ａ（左右の正面扉３，４）の吸気口１４には、ごみなどの異物の侵入を防ぐための通気ギャラリ１５が取り付けられており、通気ギャラリ１５の内側には、当該通気ギャラリ１５と向かい合うようにして、上端が開口した吹込み防止カバー１６が設置され、吹込み防止カバー１６の内部の下端面は、背面側から正面側に向かって下傾した状態となっている。また、背面板２ｂ（左右の背面扉）の吸気口にも、同様の通気ギャラリ、吹込み防止カバー等が取り付け、設置されている。但し、この場合の、吹込み防止カバーの内部の下端面は、正面側から背面側に向かって下傾した状態となっている。
このため、正面板２ａの吸気口１４（開口部）から侵入した雨水等は、吹込み防止カバー１６によって下方向に案内され、当該吹込み防止カバー１６の内部の、背面側から正面側に向かって下傾している下端面の作用によって同じ吸気口１４（開口部）からキュービクル２の外部に排出される。
また、背面板２ｂの吸気口（開口部）から侵入した雨水等も、吹込み防止カバーによって下方向に案内され、当該吹込み防止カバーの内部の、正面側から背面側に向かって下傾している下端面の作用によって同じ吸気口（開口部）からキュービクル２の外部に排出される。
【００３２】
図２〜図５に示すように、左右一対の矩形状の天板構成部材６，７は、継ぎ目をそれぞれ断面略逆さＬ字状に折り曲げた状態で連結されており、かつ、その連結部分に、正面側から背面側に延びる断面略コの字状の蓋材９が覆設固定されている。また、図２〜図４，図６，図７に示すように、天板構成部材６，７には、それぞれ、その周縁に沿って水止め部８が設けられていると共に、正面側と背面側に水抜き孔（左右に細長い水抜き用スリット）１２が所定間隔で複数穿設されており、キュービクル２の内部には、水抜き孔１２の直下に位置して左右に延びる樋部材１３が配設されている。
このため、左右一対の天板構成部材６，７の継ぎ目からキュービクル２の内部に雨水等が侵入することが完全に防止される。
また、図１０に示すように、天板構成部材６，７の上面に溜まった雨水等は、水抜き孔１２を通して下方向に案内され（図１０の矢印イを参照）、樋部材１３を伝ってキュービクル２の右側面板２ｄ側から落下し（図１０の矢印ロ，ハを参照）、キュービクル２の外部に排出される。
【００３３】
以上のように、本実施形態の配電盤装置１の構成を採用すれば、天板２ｅ部分（天板構成部材６，７の継ぎ目）からキュービクル２の内部に雨水等が侵入することを完全に防止することが可能となり、また、万が一、雨水等が正面板２ａの吸気口１４（開口部）等からキュービクル２の内部に侵入したとしても、配電設備に影響を与えることなく、キュービクル２の外部にそのまま排出することが可能となる。
【００３４】
なお、上記実施形態においては、キュービクル２の内部に、水抜き孔１２の直下に位置して左右に延びる樋部材１３が配設されている場合を例に挙げて説明した。しかし、本考案は必ずしもこのような構成に限定されるものではない。本考案の配電盤装置における樋部材は、左側及び／又は右側で下方（あるいは斜め下方）に折れ曲がった形状のものであってもよい。かかる構成の樋部材を用いれば、当該樋部材の先端部分をキュービクル２の外部に配置することにより、天板構成部材６，７の上面に溜まった雨水等を確実にキュービクル２の外部に排出することが可能となる。
また、本考案においては、天板が左右一対の天板構成部材からなり、前記左右一対の天板構成部材が、継ぎ目をそれぞれ断面略逆さＬ字状に折り曲げた状態で連結されており、かつ、その連結部分に、正面側から背面側に延びる断面略コの字状の蓋材が覆設固定されていれば十分であり、水抜き孔及び樋部材を備えるか否かは任意である。
【００３５】
また、上記実施形態においては、吸気口、通気ギャラリ、吹込み防止カバー等の構成が背面板２ｂにも採用されている場合を例に挙げて説明した。しかし、本考案は必ずしもこのような構成に限定されるものではない。吸気口、通気ギャラリ、吹込み防止カバー等の構成は、少なくとも正面板に採用されていればよい。
また、本考案においては、天板が左右一対の天板構成部材からなり、前記左右一対の天板構成部材が、継ぎ目をそれぞれ断面略逆さＬ字状に折り曲げた状態で連結されており、かつ、その連結部分に、正面側から背面側に延びる断面略コの字状の蓋材が覆設固定されていれば十分であり、正面板２ａ等に吸気口、通気ギャラリ、吹込み防止カバー等の構成を備えるか否かは任意である。
【００３６】
また、上記実施形態においては、キュービクル２が、正面板２ａと、背面板２ｂと、左右の側面板２ｃ，２ｄと、天板２ｅと、底面板２ｆと、を有している場合を例に挙げて説明した。しかし、本考案は必ずしもこのような構成に限定されるものではない。底面板２ｆを有するか否かは任意である。
【００３７】
また、上記実施形態においては、正面板２ａが、左右両方向の観音開きに開閉する左右の正面扉３，４からなっており、背面板２ｂが、左右両方向の観音開きに開閉する左右の背面扉からなっている場合を例に挙げて説明した。しかし、本考案は必ずしもこのような構成に限定されるものではない。正面板２ａ及び／又は背面板２ｂは、例えば、左右方向の片開きに開閉する正面扉及び／又は背面扉からなっていてもよい。
【符号の説明】
【００３８】
１  配電盤装置
２  キュービクル（筐体）
２ａ  正面板
２ｂ  背面板
２ｃ，２ｄ  側面板
２ｆ  底面板
３，４  正面扉
３ａ，４ａ  レバー
３ｂ，４ｂ  正面扉の上端面
５  ダイヤル温度計検視窓
６，７  天板構成部材
８  水止め部
９  蓋材
９ａ  切欠き
９ｂ  蓋材の正面側と背面側の端面
１０  補強材
１１  ボルト
１２  水抜き孔（水抜き用スリット）
１３  樋部材
１４  吸気口
１５  通気ギャラリ
１５ａ  カバー部
１６  吹込み防止カバー
【図１】
0003233881.tif 000003
【図２】
0003233881.tif 000004
【図３】
0003233881.tif 000005
【図４】
0003233881.tif 000006
【図５】
0003233881.tif 000007
【図６】
0003233881.tif 000008
【図７】
0003233881.tif 000009
【図８】
0003233881.tif 000010
【図９】
0003233881.tif 000011
【図１０】
0003233881.tif 000012